(57)【要約】【課題】センサ装置を装着した多数の使用者全員の健康状態を適切に見守る見守り装置を提供する。【解決手段】センサ装置２０Ａ，…、２０Ｆは、使用者１０Ａ、…、１０Ｆに装着されて使用者１０Ａ、…、１０Ｆの第一生体情報を計測する第一計測部と、使用者１０Ａ、…、１０Ｆを特定する情報を記憶する記憶部と、第一計測部の計測結果を解析して第一条件に合致することを判定する解析部と、解析部から受信する第一条件に合致するとの判定結果及び使用者１０Ａ、…、１０Ｆを特定する情報を一定区間毎に設置される通信装置３０Ａ，３０Ｂに送信する通信部とを有する。【選択図】図１
2018130358.tif 000002
【特許請求の範囲】
【請求項１】
使用者に装着されて前記使用者の第一生体情報を計測する第一計測部と、
前記使用者を特定する情報を記憶する記憶部と、
前記第一計測部の計測結果を解析して第一条件に合致することを判定する解析部と、
前記解析部から受信する第一条件に合致するとの判定結果及び前記使用者を特定する情報を、一定区間毎に設置される通信装置に送信する通信部と、を有するセンサ装置。
【請求項２】
前記第一計測部は、心電図を前記第一生体情報として計測可能に構成され、前記計測結果と前記第一生体情報の計測に関する情報とを関連付けた計測結果信号を生成し、
前記記憶部は、少なくとも不整脈の名称、心電図の波形の一方を解析パターン情報として予め複数種類記憶し、
前記解析部は、前記解析パターン情報と前記計測結果とを比較し、該比較した結果が一致することを前記第一条件に合致すると判定するように構成され、
前記通信部は、前記第一条件に合致する場合に、前記第一条件に合致するとの判定結果と前記計測結果信号とを関連付けて前記通信装置に送信する請求項１に記載のセンサ装置。
【請求項３】
前記使用者の前記第一生体情報を除く生体情報である第二生体情報を計測する第二計測部を有し、
前記解析部は、計測された前記第二生体情報を解析して第二条件に合致すると判定するように構成された請求項１又は２に記載のセンサ装置。
【請求項４】
前記解析部は、前記使用者が又は第三条件に合致することを判定する予知予測部を備える請求項１から３のいずれか一項に記載のセンサ装置。
【請求項５】
請求項１から請求項４のいずれか一項に記載のセンサ装置と、
少なくとも前記第一条件に合致するとの判定結果及び前記使用者を特定する情報を前記通信部から受信する前記通信装置と、
前記通信装置が受信した情報を前記通信装置から受信して表示装置に表示する集中管理装置と、
を備えた見守り装置。
【請求項６】
前記センサ装置は複数の前記使用者に各々装着され、一の前記使用者が装着する前記センサ装置の前記通信部と、他の前記使用者が装着する前記センサ装置の前記通信部は、相互に通信を行う請求項５に記載の見守り装置。
【請求項７】
前記記憶部は、予め記憶された緊急性に関する解析パターン情報をさらに有し、
前記解析部は、前記計測結果と前記緊急性に関する解析パターン情報とを比較し、該比較した結果が一致する場合に緊急性に関する信号を生成し、前記緊急性に関する信号を前記通信部に送信するように構成され、
前記通信部は、前記緊急性に関する信号を受信した場合に、少なくとも前記緊急性に関する信号及び前記使用者を特定する情報を前記通信装置及び他の前記使用者の前記通信部に送信し、
他の前記使用者の前記通信部は、前記使用者の前記緊急性に関する信号を受信した場合に、前記使用者の前記通信部から受信した前記緊急性に関する信号及び前記使用者を特定する情報を、さらに他の前記使用者又は前記通信装置に転送する請求項６に記載の見守り装置。
【発明の詳細な説明】
【技術分野】
【０００１】
本開示は、多数のセンサ装置によって使用者の健康状態を適切に監視し見守るためのセンサ装置及び見守り装置に関する。
【背景技術】
【０００２】
従来、各地のマラソン大会で、けがをするランナーや体調を崩すランナーがいる（非特許文献１）。
このようなマラソン大会のランナーのけがや体調不良に対応するべく、ランナーの身体データの管理を目的として、移動する無線通信装置間で、マルチホップセンサーネットワークを用いる研究が行われている（非特許文献２）。
【先行技術文献】
【非特許文献】
【０００３】
【非特許文献１】eonet.jpウェブサイト「気をつけたい  マラソン中のケガと不調」（2012年11月1日付  http://eonet.jp/health/special/special55_2.html
【非特許文献２】総務省  報道資料「マルチホップセンサーネットワーク技術を応用した移動無線通信システムの調査検討」（平成25年8月２７日付  東海総合通信局、総務省トップ>組織案内>地方支分部局>東海総合通信局>報道資料一覧（2013年）>マルチホップセンサーネットワーク技術を応用した移動無線通信システムの調査検討  http://www.soumu.go.jp/soutsu/tokai/kohosiryo/25/0827-1.html）
【発明の概要】
【発明が解決しようとする課題】
【０００４】
しかし、例えば２万人が参加する規模のフルマラソンの大会で、非特許文献２のマルチホップセンサをランナー全員に装着させるならば、２万人分のランナーのデータが送信され、膨大なデータ量となる。さらに、マラソンコースのどこでランナーの健康状態が悪化するかは予測できないので、常に全員分の検出結果を送信し続けることとなり、通信容量が膨大になりすぎてデータ処理を処理しきれず、すべてのランナーの健康状態を見守り続けることは困難である。
【０００５】
本開示は、大規模マラソンの全ランナー等、多数のセンサ装置の使用者の健康状態を適切に監視し見守るためのセンサ装置及び見守り装置を提供することを目的とする。
【課題を解決するための手段】
【０００６】
本開示にかかるセンサ装置は、使用者に装着されて前記使用者の第一生体情報を計測する第一計測部と、
前記使用者を特定する情報を記憶する記憶部と、
前記第一計測部の計測結果を解析して第一条件に合致することを判定する解析部と、
前記解析部から受信する第一条件に合致するとの判定結果及び前記使用者を特定する情報を、一定区間毎に設置される通信装置に送信する通信部と、を有する。
【０００７】
上記構成によれば、通信部は、第一条件に合致するとの判定結果があった場合にこの判定結果を送信し、第一条件に合致しないとの判定結果は送信しない。この結果、通信部から送信されるデータ量は著しく減り、第一条件に合致した使用者を確実に特定することが出来、センサ装置の使用者全員の健康状態を的確に把握することができる。
【０００８】
また、本開示に係る見守り装置は、
上記センサ装置と、
少なくとも前記第一条件に合致するとの判定結果及び前記使用者を特定する情報を前記通信部から受信する前記通信装置と、
前記通信装置が受信した情報を前記通信装置から受信して表示装置に表示する集中管理装置と、を備える。
【０００９】
上記構成によれば、通信装置が受信した判定結果の内容を集中管理装置の表示装置で確認することにより、不調の使用者の特定及び使用者に発生している不調を把握することができる。
【発明の効果】
【００１０】
本開示によれば、大規模マラソンの全ランナー等、センサ装置を使用する多数の使用者全員の健康状態を適切に監視し見守るためのセンサ装置及び見守り装置を提供することができる。
【図面の簡単な説明】
【００１１】
【図１】本開示の実施形態に係る見守り装置の概要を示す説明図である。
【図２】センサ装置の機能ブロック図である。
【図３】表示装置の説明図である。
【図４】センサ装置の変形例の機能ブロック図である。
【図５】メッシュネットワーク方式による見守り装置の説明図である。
【発明を実施するための形態】
【００１２】
以下、本開示に係る見守りのためのセンサ装置及び見守り装置の実施の形態の例を、図面を参照して説明する。
【００１３】
見守り装置は、センサ装置を使用する多数の使用者全員の生体情報等を常時計測しながらも、送信データ量を減らして、センサ装置の使用者全員の健康状態を監視し見守る装置である。
【００１４】
図１は見守り装置１の概要を示す説明図、図２はセンサ装置２０の機能ブロック図である。
見守り装置１は、図１に示すように、使用者１０Ａ，１０Ｂ…、１０Ｎに装着されるセンサ装置２０Ａ，２０Ｂ…、２０Ｎと、センサ装置２０から使用者１０に関する情報を受信する通信装置３０Ａ，３０Ｂ…、３０Ｎと、通信装置３０から受信した情報を集中的に管理する集中管理装置４０と、を有している。以下、複数の使用者全員を示す場合は単に「使用者１０」といい、使用者毎に装着されるセンサ装置のすべてを示す場合は単に「センサ装置２０」といい、一定区間毎に設置される通信装置のすべてを示す場合は単に「通信装置３０」という。
【００１５】
見守り装置１の適用範囲は、一例として、マラソン大会のコースの全域である。この場合、図１はマラソン大会のコース全域を概念的に示している。図１には、マラソンコースを走るマラソンランナーである使用者１０と、各使用者１０が装着するセンサ装置２０と、マラソンコースの一部に設けられた複数の通信装置３０と、マラソンゴール地点に1台設置された集中管理装置４０と、マラソンコースに複数設置された救護所５０と、救護所５０及びマラソンコースの複数の場所に設置されたＡＥＤ（Automated External Defibrillator，自動体外式除細動器）５３とが示されている。
【００１６】
また、見守り装置１は、例えば、鉄道駅や空港等の各種公共交通機関や、各自の勤務先等の様々な地点・地域において、多数のセンサ装置の使用者の健康状態を適切に監視し見守ることができる。
多数の社員が所属する企業に見守り装置１が導入される場合には、見守り装置１の適用地域は、社員である使用者１０の移動範囲及び滞在範囲の全域とすることができる。より具体的には、使用者１０の自宅、通勤電車の路線を含む通勤経路、本社及び支店等の勤務場所、外出先等の全域とすることができる。この場合、図１は、見守り装置１が適用される企業の複数の社員１０と，各社員１０が装着するセンサ装置２０と，企業の通用口や鉄道駅の改札口等に設置される通信装置３０と、企業の医務室等に設置される集中管理装置４０と，鉄道駅等の救護所５０と、救護所５０や駅の改札口等に設置されるＡＥＤ５３を示している。
【００１７】
＜センサ装置＞
センサ装置２０は、図１に示すように、見守り対象である使用者１０に装着されるセンサである。センサ装置２０は、図２に示すように、計測部２１と、記憶部２２と、解析部２３と、通信部２４と、電源部２５と、を有している。
【００１８】
＜計測部＞
計測部２１は、電極やセンサ端子を介して使用者１０の生体情報及び計測に関する情報を計測可能に構成されている。
計測部２１が計測する生体情報は、使用者１０の健康状態の解析に用いる各種の生体情報の少なくとも一つである。生体情報は、一例として、心電図及び心拍数、インピーダンス呼吸、サーミスタ呼吸、脈拍、動脈血酸素飽和度、血糖値、心拍出量、脳波、筋電図、皮膚温、深部体温、発汗量、呼気二酸化炭素分圧等である。
計測に関する情報は、使用者の健康状態に関する各種の情報であり、一例として、計測開始時間、計測終了時間、計測時間、計測した位置情報、移動速度、転倒の有無、脚の回転数、周辺温度等である。
【００１９】
計測部２１は、使用者１０の第一生体情報及び計測に関する情報を計測可能な第一計測部を有する構成とすることができる。第一生体情報は、生体情報のうち少なくともいずれか一つの情報である。第一計測部は、一例として、図２に示すように、使用者１０の心電図を計測する心電図センサ２６とすることができる。
【００２０】
計測部２１は、生体情報の計測結果と計測に関する情報とを関連付けた計測結果信号を生成可能に構成されている。測定結果信号は、例えば、不整脈が発生したとの判定結果と、この不整脈を計測した時刻における使用者の位置情報と、この不整脈の計測開始時刻とを関連付けて生成されている。なお、計測部２１に代えて、又は計測部２１に加えて、第一計測部は、第一生体情報の計測結果と計測に関する情報とを関連付けた計測結果信号を生成可能に構成することができる。
計測部２１又は第一計測部が生成された計測結果信号は、記憶部２２及び通信部２４に送信されるようになっている。
【００２１】
計測部２１の構成は心電図センサ２６（第一計測部）に限定されず、使用者１０の生体情報等を計測することができる各種の構成とすることができる。一例として、計測部２１は、第一計測部に加えて、又は、第一計測部に代えて、使用者１０の第二生体情報及び計測に関する情報を計測する第二計測部を有する構成とすることができる。
【００２２】
第二生体情報は、生体情報のうち第一生体情報を除いた少なくともいずれか一つの情報である。一例として、第一生体情報を心電図とする場合、第二生体情報は皮膚温、深部体温等の体温とすることができる。第二生体情報を体温とする場合、第二計測部は温度センサ２７とすることができる。図２には、第一計測部の一例である心電図センサ２６に加えて、第二計測部の一例である温度センサ２７を有するセンサ装置２０が示されている。
また、第二生体情報を計測する場合、第二計測部は、第二生体情報の計測結果と計測に関する情報を関連付けた計測結果信号を生成可能に構成されている。
【００２３】
＜記憶部＞
記憶部２２は、使用者１０に関する各種の情報を記憶するように構成されている。記憶部２２は、少なくとも三種類の情報を記憶するように構成されている。
【００２４】
記憶部２２は、第一に、使用者１０を特定する情報を記憶するように構成されている。
使用者１０を特定する情報には、センサ装置２０のＩＤ（Ｉｄｅｎｔｉｆｉｃａｔｉｏｎ）等のセンサ装置２０を特定する識別情報、使用者１０にゼッケン番号等の個別ＩＤを付与する等で各使用者１０を特定する情報等が含まれている。
【００２５】
記憶部２２は、第二に、解析部２３が比較に用いる情報を予め記憶するように構成されている。
解析部２３が比較に用いる情報は、第一条件である解析パターン情報、第二条件である解析パターン情報、緊急性に関する解析パターン情報がある。記憶部２２には、これらの解析パターン情報のうち、第一条件である解析パターン情報及び緊急性に関する解析パターン情報が記憶されている。なお、第二条件である解析パターンは、解析部２３に記憶されている。
【００２６】
記憶部２２は、第一条件である解析パターン情報を予め複数種類記憶するように構成されている。第一条件である解析パターン情報は、例えば、不整脈の名称、緊急性は無いが監視が必要な不整脈の心電図の波形の一症例、不整脈が発生したときに検出される極端な頻脈の値等である。
【００２７】
また、記憶部２２は、緊急性に関する解析パターン情報を複数種類記憶するように構成されている。緊急性に関する解析パターン情報は、例えば、緊急性が高く直ちにＡＥＤ５３を使用する必要がある状態と判定するべき心電図の波形等である。
【００２８】
記憶部２２は、第三に、実際の計測結果、計測結果に関する各種の判定結果及び計測結果信号を記憶するように構成されている。
具体的には、記憶部２２は、実際の計測結果として、計測部２１が計測した生体情報の計測結果、第一計測部が計測した第一生体情報の計測結果及び第二計測部が計測した第二生体情報の計測結果の少なくとも一つを記憶するように構成されている。なお、記憶部２２は、実際の計測結果の全てを記憶するように構成されてもよく、実際の計測結果の一部を記憶するように構成されてもよい。実際の計測結果は、例えば、マラソンコース等の見守り装置１が適用される全区間で常時計測した心電図の波形のすべて等である。
【００２９】
記憶部２２は、計測結果に関する各種の判定結果として、第一条件に合致するとの判定結果及び第二条件に合致するとの判定結果を記憶するように構成されている。
また、記憶部２２は、計測結果が緊急性に関する解析パターン情報に一致するとの判定結果を記憶するように構成されている。
【００３０】
＜解析部＞
解析部２３は、計測部２１、第一計測部及び第二計測部の少なくともいずれか一つによる計測結果を解析して第一条件又は第二条件に合致することを判定するように構成されている。
図２に示すように、解析部２３は、比較部２８を有する構成とすることができる。比較部２８は、計測部２１の計測結果と第一条件又は第二条件の解析パターン情報とを比較して一致するかどうかを判定し、一致する場合は第一条件又は第二条件に合致すると判定するように構成されている。
【００３１】
また、解析部２３は、第一計測部の計測結果を解析して第一条件に合致することを判定するように構成されている。
図２に示す解析部２３の比較部２８は、第一計測部の計測結果と第一条件の解析パターン情報とを比較して一致するかどうかを判定し、一致する場合は第一条件に合致すると判定するように構成されている。
【００３２】
また、解析部２３は、第二条件である解析パターン情報を記憶するように構成されている。第二条件である解析パターン情報は、一例として、体温（皮膚温、深部体温）の閾値、体温が変化し過ぎているとの変化パターン等である。
【００３３】
解析部２３は、第二計測部の計測結果を解析して、第二条件に合致するかどうかを判定するように構成されている。すなわち、比較部２８は、第二計測部の計測結果と第二条件の解析パターン情報とを比較して一致するかどうかを判定し、一致する場合は第二条件に合致すると判定するように構成されている。
【００３４】
また、解析部２３は、緊急性に関する解析パターンに一致するかどうかを判定するように構成されている。すなわち、解析部２３は、記憶部２２から緊急性に関する解析パターンを読み出して、計測結果と緊急性に関する解析パターン情報とを比較して一致するかどうかを判定し、計測結果が緊急性に関する解析パターンと一致する場合に緊急性に関する信号を生成するように構成されている。
【００３５】
解析部２３は、第一条件又は第二条件のいずれかに合致すると判定した場合、この判定結果を記憶部２２及び通信部２４に送信するように構成されている。
また、解析部２３は、緊急性に関する解析パターンに合致すると判定した場合、この判定結果を記憶部２２及び通信部２４に送信するように構成されている。
なお、計測部２１、第一計測部及び第二計測部のいずれか一つの計測結果が、第一条件、第二条件の解析パターン及び緊急性に関する解析パターンのいずれにも一致しないと判定された場合、この判定結果を記憶部２２に記憶しないように構成することもできる。このように構成すると、記憶部２２の記憶容量を最大限活かすことができる。
【００３６】
＜通信部＞
通信部２４は、第一条件又は第二条件のいずれかに合致するとの判定結果を解析部２３から受信した場合に、使用者１０に関する情報を記憶部２２から受信するように構成されている。また、通信部２４は、解析部２３から受信した第一条件又は第二条件に合致するとの判定結果と、計測部２１、第一計測部及び第二計測部の少なくともいずれか一つから受信した計測結果信号とを関連付けて、保持するように構成されている。通信部２４は、使用者１０に関する情報と、第一条件又は第二条件に合致するとの判定結果及び計測結果信号とを関連付けた情報を、通信装置３０に送信するように構成されている。
なお、通信部２４は、通信部２４の送信可能範囲に通信装置３０が存在しない場合には、通信装置３０が通信可能範囲に入るまで送信対象の各種信号を保持するように構成されている。
【００３７】
通信部２４は、緊急性に関する信号を受信した場合には、直ちに、この緊急性に関する信号及び使用者１０を特定する情報を送信するように構成されている。
緊急性に関する信号を受信した通信部２４は、他の使用者１０の通信部２４と相互に通信するように構成されている。すなわち、通信部２４は、第一条件又は第二条件に合致する通常の送信機能に加えて、緊急性に関する信号を転送する転送媒体としても機能するように構成されている。センサ装置２０Ｂの通信部２４は、使用者１０Ａの緊急性に関する信号を、最寄りの通信装置３０Ａ，…、３０Ｎに向けて送信し、同時に、他の使用者１０Ｃ，…、１０Ｎの通信部２４に対して、使用者１０Ａの緊急性に関する信号を転送するように構成されている。
【００３８】
＜電源部＞
電源部２５は、図２に示す計測部２１、記憶部２２、解析部２３、通信部２４、心電図センサ２６、温度センサ２７のそれぞれの動作に必要な電力を供給するように構成されている。
【００３９】
＜救護所及び携帯端末＞ 
見守り装置１には、図１に示すように、救護所５０を設けることができる。救護所５０は、例えば、マラソン大会のマラソンコース、鉄道駅や空港等の各種公共交通機関、社員数の多い会社等に設けられている。
【００４０】
救護所５０には、救護者５１を待機させることができる。
救護者５１は、例えばスマートホン等の携帯端末５２を持っている。例えば、見守り装置１がマラソン大会に適用される場合に、携帯端末５２には、救護を必要とするマラソンランナーである使用者１０の位置情報、使用者１０を特定するゼッケン番号の情報及び救護内容である処置命令等の情報が伝えられるようになっている。
【００４１】
また、ＡＥＤ５３は、救護所５０や鉄道駅のホーム等の各種公共交通機関等の複数個所に、持ち運び可能に設置されている。救護者５１は、緊急性がある場合は、救護所５０等に設置されているＡＥＤ５３を持って、直ちに、救護が必要な使用者１０のいる場所に駆けつけることができるようになっている。
【００４２】
＜通信装置＞
通信装置３０は、センサ装置２０の通信部２４から第一条件に合致するとの判定結果等の情報を受信するように構成されている。
通信装置３０は、見守り対象である使用者１０が通過又は滞在する領域に、一定区間毎に設置されている。通信装置３０は、一例として、見守り装置１の適用範囲がマラソン大会のコース全体である場合には、このコース全体に等間隔で複数区間に分けた区間毎に設置されている。また、通信装置３０は、一例として、見守り装置１が企業に導入される場合には、使用者１０が乗降する鉄道駅の改札口、都区内の民営及び都営バスの各路線のバス停毎、都区内の公営公園の公共機関の公衆トイレ毎、社員数の多い会社の各階エレベータや各階トイレや社員通用口等にそれぞれ設置されている。
通信装置３０は、センサ装置２０から受信した使用者１０に第一条件に合致するとの判定結果等の情報を、集中管理装置４０に送信するように構成されている。
【００４３】
＜集中管理装置＞
集中管理装置４０は、複数の通信装置３０から第一条件に合致するとの判定結果等の情報を受信するように構成されている。図１に示すように、集中管理装置４０は、集中管理装置４０が受信した情報を表示する表示装置４１を有している。表示装置４１は、一例としてタブレット端末やパソコン画面等である。
【００４４】
ここで、表示装置４１に表示される情報の説明に先立ち、表示装置４１に表示される情報の概略を説明する。
表示装置４１に表示される情報には、使用者１０が第一条件又は第二条件に合致するとの判定結果等がある。
使用者１０が第一条件又は第二条件の少なくともいずれか一方に合致するとの判定は、上記したセンサ装置２０が行う場合に加えて、集中管理装置４０が行う場合がある。
【００４５】
集中管理装置４０が第一条件又は第二条件の少なくともいずれか一方に合致するかどうかを判定する場合、センサ装置２０は、計測結果が第一条件又は第二条件に合致するとの判定を行わない。
この場合、センサ装置２０の計測部２１、第一計測部及び第二計測部の少なくともいずれか一つは、生体情報、第一生体情報及び第二生体情報の少なくともいずれか一つの計測結果と、計測時間等の計測に関する情報とを関連付けて計測結果信号を生成し、この計測結果信号を記憶部２２及び通信部２４に送信する構成となっている。
通信部２４は、記憶部２２から使用者１０を特定する情報を受信し、計測部２１から生体情報の計測結果及び計測結果信号を受信し、受信した情報を通信装置３０を介して集中管理装置４０に送信するように構成されている。
また、通信部２４は、記憶部２２から使用者１０を特定する情報を受信し、第一計測部から第一生体情報の計測結果及び計測結果信号を受信し、受信した情報を通信装置３０を介して集中管理装置４０に送信するように構成されている。
また、通信部２４は、記憶部２２から使用者１０を特定する情報を受信し、第二計測部から第二生体情報の計測結果及び計測結果信号を受信し、受信した情報を通信装置３０を介して集中管理装置４０に送信するように構成されている。
集中管理装置４０は、受信した計測部２１、第一計測部及び第二計測部の少なくともいずれか一つの計測結果が、第一条件又は第二条件のいずれか一方に合致するかどうかを判定するように構成されている。
【００４６】
集中管理装置４０が、第一条件又は第二条件の少なくともいずれか一方に合致すると判定した判定結果は、表示装置４１に表示されるように構成されている。表示装置４１に表示された判定結果を見た医師は、この判定結果を、ランナー等の使用者１０が走ることを継続してもよいかの判断に用いることができる。
【００４７】
図３は、表示装置４１に表示される情報の一例を示した説明図である。
図３の表示装置４１の表示画面の上側には、使用者１０Ａの氏名、使用者１０Ａのセンサ装置２０のＩＤ、使用者１０Ａの状態「二段脈」（Ｂｉｇｅｍｉｎｙ)、使用者１０Ａの心電図の計測結果が表示されている。表示装置４１の表示画面の下側には、使用者１０Ｂの氏名、使用者１０Ｂのセンサ装置２０のＩＤ、使用者１０Ｂの状態「頻脈」が表示されている。
【００４８】
また、集中管理装置４０が、第一条件又は第二条件の少なくともいずれか一方に合致すると判定した判定結果は、救護者５１の携帯端末５２に送信されてもよい。救護者５１は、携帯端末５２が受信した情報を確認して、救護所５０等に設置されているＡＥＤ５３を持って、第一条件又は第二条件に合致する使用者１０の救護を行うことができる。
【００４９】
集中管理装置４０は、図１では一つを示しているが、集中管理装置４０の数は一つに限らず、見守り装置１の使用に適する複数の集中管理装置とすることができる。
例えば、見守り装置１を、通信装置の第一グループとして通信装置３０Ａ、３０Ｂ，…、３０Ｅ（不図示）、通信装置の第二グループとして通信装置３０Ｆ，３０Ｇ，…、３０Ｊ（不図示）を有する構成とした場合、集中管理装置４０は、通信装置の第一グループから情報を受信する第一集中管理装置（不図示）と、通信装置の第二グループから情報を受信する第二集中管理装置（不図示）とで構成することができる。
また、例えば、見守り装置１を企業に導入した場合には、集中管理装置４０は、見守り装置１を管理し運営する医療機関や、見守り装置１を導入した企業の医務室等に、複数設置することができる。
なお、集中管理装置４０は、無線通信等を介して通信装置３０から各種の情報を受信できるように構成してもよい。
【００５０】
＜予知予測部を有するセンサ装置＞
センサ装置の解析部は、図２に示す比較部２８に代えて、又は図２に示す比較部２８に加えて、使用者１０が第三条件に合致することを判定する予知予測部６０を有する構成とすることができる。図４は、図２に示す比較部２８に代えて予知予測部６０を備える解析部１２３を有するセンサ装置２００のブロック図である。
なお、センサ装置２００は、予知予測部６０を有する解析部１２３以外は図２に示すセンサ装置２０と同一の構成であるので、図４において同一の符号を付して重複する説明を省略する。
【００５１】
予知予測部６０は、センサ装置２００の使用者１０に、第一条件及び第二条件のいずれにも合致しない程度の軽度の不調が生じており、かつ、軽度の不調が重度の不調に発展する可能性があることを判定するように構成されている。使用者１０の軽度の不調が重度の不調に発展する可能性があるかどうかは、第三条件に合致するか否かで判定する構成とされている。
【００５２】
第三条件は、使用者１０に生じている軽度の不調が重度の不調に発展する可能性がある各種の条件とすることができる。
第三条件の判定の第一の例として、予知予測部６０は、時間要素と生体情報から予知予測を行ってもよい。
時間要素と生体情報から行う予知予測とは、例えば、計測結果は第一条件又は第二条件に合致しない軽度の不調であるが、この軽度の不調が所定時間以上断続的に発生すると第一条件又は第二条件に合致するような重度の不調に発展する可能性があると判定する場合である。
この第一の例において、第三条件は、軽度の不調という計測結果が所定時間以上断続的に発生することにより、第一条件又は第二条件に合致する重度の不調に発展する可能性があることである。
【００５３】
第三条件の判定の第二の例として、予知予測部６０は、複数の生体情報を用いて予知予測を行ってもよい。
複数の生体情報を用いて行う予知予測とは、例えば、生体情報に関する複数の計測結果が、単独では第一条件にも第二条件にも合致しない軽度の不調であるが、当該複数の計測結果を組み合わせると重度の不調に発展する可能性があると判定する場合である。
この第二の例において、第三条件は、単独では第一条件にも第二条件にも合致しない複数の計測結果を組み合わせて判定すると、第一条件又は第二条件に合致する重度の不調に発展する可能性があることである。
【００５４】
第三条件の判定の第三の例として、予知予測部６０は、使用者１０の関連情報と生体情報とを用いて、予知予測を行ってもよい。
関連情報と生体情報とを用いて行う予知予測とは、例えば、使用者１０に関する情報の変化の有無と、使用者１０の生体情報の変化の有無を計測し、一方の計測結果に発生している急激な変化の情報と、他方の計測結果の変化が無いとの情報とを基に、使用者１０に何らかの健康状態の変化が生じていると判定する場合である。具体的には、使用者１０の関連情報の計測結果に変化が無く、使用者１０の生体情報の計測結果に急激な変化が有る場合を、重度の不調が発生する可能性があると判定する場合である。
この第三の例における第三条件は、使用者１０の関連情報は変化が無いこと及び使用者１０の生体情報に急激な変化があることである。
【００５５】
第三条件の判定の第四の例として、予知予測部６０は、使用者１０個人に合わせた予知予測を行ってもよい。
使用者１０個人に合わせた予知予測とは、例えば、使用者１０の既往歴や年齢等の情報を加味して、使用者１０について計測された計測結果である軽度の不調が、重度の不調に発展する可能性があると判定する場合である。
この第四の例における第三条件は、使用者１０個人の個別情報に合わせて個別に設定される条件に合致することである。
【００５６】
また、第三条件に合致とは、上記の第一の例から第四の例に加えて、使用者１０の第一生体情報の計測時間から所定時間経過後に使用者１０が第一条件に合致する蓋然性がある場合も含まれる。また、第三条件に合致とは、使用者１０の第二生体情報の計測時間から所定時間経過後に使用者１０が第二条件に合致する蓋然性がある場合も含まれる。
【００５７】
第三条件に合致すると判定された場合、この判定結果は、予知予測部６０からセンサ装置２００の通信部２４に送信されるように構成されている。通信部２４は、第三条件に合致するとの判定結果を、通信装置３０を介して集中管理装置４０に送信する構成としてもよく、救護者５１の携帯端末５２に直接送信する構成としてもよい。
【００５８】
予知予測部６０は、解析部１２３に備えられる構成に限らない。予知予測部６０は、使用者１０の軽度の不調が重度の不調に発展する可能性があるかどうかを判定できる構成であればよい。例えば、集中管理装置４０に予知予測部６０を内蔵させる構成とし、図４に示すセンサ装置２００の計測部２１、心電図センサ２６（第一計測部の一例）及び温度センサ２７（第二計測部の一例）の少なくともいずれか一つから集中管理装置４０が受信した計測結果を用いて、第三条件に合致するかどうかを、予知予測部６０が自動で判定する構成としてもよい。
【００５９】
また、予知予測部６０は、様々なマラソン大会で得られた過去の第一条件又は第二条件に合致するとの判定結果と計測結果信号の過去の膨大なデータと、その中で起こった事象を紐付けて記憶する構成とし、これらの判定結果、データ及び事象を第三条件の判定基準に加味して判定する構成とすることもできる。様々なマラソン大会で起こった事象とは、例えば、体調不良等によって途中棄権したり、最悪重大な健康状態に事故に結びついたこと等の情報である。
このような構成とすると、予知予測部６０による第三条件に合致するとの判定の精度をあげることができる。
【００６０】
なお、この過去のデータ、その中で起こった事象、データと事象とを紐付けた情報の記憶は、予知予測部６０の判定に用いることができるように記憶されていればよい。過去のデータ、その中で起こった事象、データと事象とを紐付けた情報は、例えば、解析部１２３に記憶してもよく、記憶部２２に記憶してもよく、集中管理装置４０に記憶してもよく、予知予測部６０に電気的に接続可能な外部記憶媒体等に記憶してもよい。
【００６１】
次に、見守り装置１のセンサ装置２０、２００、通信装置３０及び集中管理装置４０の動作例について説明する。
【００６２】
＜動作例１  マラソン大会で比較部２８を備えるセンサ装置２０を使用＞
見守り装置１を、数万人規模の参加者によるマラソン大会に使用する例について、図１及び図２を用いて説明する。
見守り装置１の適用範囲はマラソン大会のコースの全域である。センサ装置２０は、使用者１０Ａ、１０Ｂ、１０Ｃ、…、１０Fに各１台装着されている。各使用者１０Ａ、…、１０Fのセンサ装置２０の通信部２４は、半径１０ｍの範囲に送信可能に構成されている。通信装置３０Ａは、スタートから４ｋｍ地点である第三地点に設置されている。
図１における使用者１０Ａは第三地点の手前に位置しており、この位置で、使用者１０Ａに、緊急性は無いが監視が必要な不整脈が発生した場合を説明する。
【００６３】
使用者１０Ａに、緊急性は無いが監視が必要な不整脈が発生したことは、使用者１０Ａのセンサ装置２０Ａにより特定される。
すなわち、センサ装置２０Ａの心電図センサ２６（第一計測部の一例）は、使用者１０Ａの心電図（第一生体情報の一例）を常時計測して監視している。また、心電図センサ２６は、使用者１０Ａの心電図の計測と同時に、心電図の計測を行った位置である第三地点の手前の位置も計測している。また、心電図センサ２６は、使用者１０Ａの心電図の計測を開始した計測開始時間や、何秒間計測したとの計測時間等の計測に関する時間も計測している。すなわち、使用者１０Ａの心電図を計測した地点の位置情報や、不整脈の計測が開始された計測開始時刻や、発生した不整脈が何秒間継続したかという計測時間を計測している。
心電図センサ２６は、計測結果である使用者１０Ａの心電図の波形と、この心電図の波形の計測に関する時間と、心電図を計測した地点の位置情報とを関連付けて計測結果信号を生成する。
心電図センサ２６が生成した計測結果信号は、記憶部２２及び通信部２４に送信される。
【００６４】
解析部２３は心電図センサ２６が計測した心電図を解析する。この解析において、解析部２３は、第一条件の解析パターンを受信する。すなわち、解析部２３は、記憶部２２から心電図に関する解析パターンである心電図の波形を受信する。
比較部２８は、心電図センサ２６が計測した心電図と、記憶部２２から受信した解析パターンとを比較して一致するかどうかを判定し、計測結果が第一条件に合致するかどうかを判定する。
【００６５】
ここで、計測結果が第一条件の解析パターン情報と異なる場合には、比較部２８は、計測結果が第一条件に合致しないと判定し、この判定結果を記憶部２２に記憶しない。
本動作例では、比較部２８が第一条件の解析パターンと計測結果とを比較した結果、使用者１０Ａの心電図は、緊急性は無いが監視が必要な心電図の波形図と酷似する起伏を有するものであったため、比較部２８は計測結果が第一条件の解析パターンと一致すると判定する。計測結果が第一条件の解析パターンと一致すると判定されたため、解析部２３は、計測結果が第一条件に合致すると判定する。
第一条件に合致すると解析部２３が判定した判定結果は、解析部２３から通信部２４に送信される。
【００６６】
使用者１０Ａの通信部２４は、第一条件に合致するとの判定結果を解析部２３から受信すると、この判定結果に関連する情報を受信する。すなわち、通信部２４は、使用者１０Ａを特定する情報を記憶部２２から受信し、計測結果信号を心電図センサ２６から受信する。
通信部２４は、第一条件に合致するとの判定結果と計測結果信号とを関連付けて保持し、かつ、使用者１０Ａを特定する情報を保持する。
使用者１０Ａが通信装置３０に送信可能な位置にいる場合には、通信部２４は、保持した第一条件に合致するとの判定結果、計測結果信号及び使用者１０Ａを特定する情報を、通信装置３０に送信する。
【００６７】
図１において、使用者１０Ａの通信部２４は、最寄りの通信装置３０Ａに対して送信範囲外の位置である。そのため、使用者１０Ａの通信部２４は、第一条件に合致するとの判定結果と計測結果信号とを関連付けて保持し、かつ、使用者１０Ａを特定する情報を保持した状態を維持している。
【００６８】
使用者１０Ａが通信装置３０Ａに近づいて、使用者１０Ａの通信部２４が通信装置３０Ａに対して送信可能な範囲に入ると、使用者１０Ａの通信部２４は、第一条件に合致するとの判定結果と計測結果信号とを関連付けた情報及び使用者１０Ａを特定する情報を、通信装置３０Ａに送信する。
【００６９】
センサ装置２０Ａの通信部２４から通信装置３０Ａに送信された情報は、通信装置３０Ａを介して集中管理装置４０に送信される。
集中管理装置４０は、通信装置３０Ａから、使用者１０Ａを特定する情報と、使用者１０Ａが第一条件に合致するとの判定結果及び計測結果信号を受信して、表示装置４１に表示する。表示装置４１に表示された情報は、集中管理装置４０の設置場所に待機しているマラソン大会主催者や医療関係者に確認されて、適切な処置がとられる。
【００７０】
なお、第二計測部による第二生体情報の計測及び第二生体情報の計測結果が第二条件に合致するかどうかの判定については、上記動作例１の第一生体情報の計測及び第一条件に合致するかどうかの判定と同様であるので、説明を省略する。
【００７１】
以上説明したように、本開示のセンサ装置２０は、記憶部２２に記憶されたすべての実際の計測結果及びすべての判定結果を無条件に通信装置３０に送信することは行わない。仮に、無条件にすべての実際の計測結果を逐次、センサ装置２０から通信装置３０に送信する場合には、膨大なデータ量が送信されることとなり、通信容量が膨大になりすぎてデータ処理が遅延してしまう。データ処理の遅延により、第一条件又は第二条件に合致する使用者１０の特定に時間がかかることとなってしまい、使用者１０の迅速な救護等の見守りが困難となってしまう。
そこで、本開示のセンサ装置２０は、解析部２３が第一条件又は第二条件に合致すると判定した場合に、使用者１０を特定する情報と第一条件又は第二条件に合致するとの判定結果を、通信部２４から通信装置３０に送信する構成としている。
【００７２】
この構成により、通信装置３０に送信される情報は、使用者１０を特定する情報及び解析部２３が第一条件又は第二条件に合致すると判定した使用者１０の判定結果となり、すべての判定結果及び判定結果の送信を行う場合に比して、送信されるデータ量は著しく減る。通信装置３０の受信データ量が著しく減ることによりデータ処理負担が軽減されて、不調が生じた使用者１０の特定を迅速に行うことができる。また、通信装置３０が受信した判定結果等の情報を集中管理装置４０の表示装置４１で表示することにより、使用者１０に発生している不調の内容を迅速かつ的確に把握することができ、不調を生じた使用者１０に対して適切な対応を行うことができる。
なお、第一条件及び第二条件のいずれにも合致しない判定結果を、センサ装置２０の記憶部２２に記憶させない構成とすることもできる。この場合には、記憶部２２の記憶容量を最大限活かすことができ、適切に使用者の健康状態を見守ることができる。
【００７３】
＜動作例２  マラソン大会で予知予測部６０を備えるセンサ装置２００を使用＞
予知予測部６０を備えるセンサ装置２００を使用する例について、図１及び図４を用いて説明する。ここで、予知予測部６０は、第一の例である時間要素と生体情報から予知予測を行う構成としている。本動作例における第三条件は、軽度の不調が３０分以上断続的に発生して、軽度の不調が重度の不調に発展する可能性がある場合とする。また、生体情報は、心電図センサ２６（第一計測部の一例）が計測する心電図（第一生体情報の一例）とする。
【００７４】
センサ装置２００の予知予測部６０は、記憶部２２が記憶した心電図センサ２６の心電図の計測結果を、所定タイミングで記憶部２２から複数読み出す。所定のタイミングは、１０分間隔等の定期的なタイミングでもよく、通信装置３０を通過するタイミング等のような特定地点を使用者１０が通過するタイミングでもよい。
【００７５】
予知予測部６０は、記憶部２２から読み出した計測結果を解析する。予知予測部６０は、３０分以上の計測時刻の範囲において、軽度の不調が断続的に複数回計測されている場合に、第三条件に合致すると判定する。第三条件に合致するとの判定は、使用者１０を特定する情報と共に、予知予測部６０から通信部２４に送信され、通信装置３０を介して集中管理装置４０に送信される。
【００７６】
集中管理装置４０に送信された第三条件に合致するとの情報及び使用者１０を特定する情報は、表示装置４１に表示され、適切な処置が採られる。例えば、表示装置４１を確認した救護者５１は、これから体調を崩す可能性があるマラソンランナーである使用者１０に付き添うことができる。又は、緊急事態になる前に使用者１０に走ることをやめていただくように、救護者５１が使用者１０にお願いをしに行く対応を採ることができる。あるいは、使用者１０に救護者５１が伴走して見守る等の対応を採ることができる。
また、第三条件に合致するとの情報及び使用者１０を特定する情報を、救護者５１の携帯端末５２に送信してもよい。このように救護者５１の携帯端末５２に送信すると、救護者５１は、これから体調を崩す可能性があるマラソンランナーである使用者１０の走行位置を見守りながら、ＡＥＤ５３を用意する等の対応を採ることができる。
【００７７】
以上説明したように、第三条件に合致するかどうかを判定する予知予測部６０を備えたので、計測時には第一条件及び第二条件のいずれにも合致しなかった使用者１０に、後発的に不整脈等の不調の危険性が高まった場合にも、使用者１０の不調の発生の予兆を検出することができる。また、使用者１０の不調の発生の予兆に対して、第三条件に合致するとの判定結果に合わせて、ＡＥＤ５３を準備する等の対応ができる。このように、多数の使用者１０の健康状態について、より適切な見守りを行うことができる。
【００７８】
＜動作例３  マラソン大会で、メッシュネットワーク方式で用いる通信部２４を有するセンサ装置２０を備えた見守り装置１を使用＞
センサ装置２０の通信部２４が相互に通信を行う、すなわち、転送機能を有する見守り装置１の動作例について、図１−３及び図５を用いて説明する。図５は、図１のマラソン大会のコースにおける一部分を示している。マラソンランナーである使用者１０Ｇには、スタートから５ｋｍ地点において、緊急性のある不整脈が発生している。
【００７９】
使用者１０Ｇの緊急性のある不整脈は、センサ装置２０Ｇにより特定される。すなわち、センサ装置２０Ｇの解析部２３は、使用者１０Ｇが緊急性に関する解析パターンに合致するかどうかの判定を行う。
【００８０】
センサ装置２０Ｇの解析部２３は、緊急性に関する解析パターンとして、心電図に関する解析パターンである心電図の波形を、記憶部２２から受信する。センサ装置２０Ｇの比較部２８は、心電図センサ２６（第一計測部の一例）が計測した心電図（第一生体情報の一例）と、記憶部２２から受信した緊急性に関する解析パターンとを比較する。本動作例では、第一計測部の計測結果である心電図が緊急性のある解析パターンの心電図と一致したと判定されたため、センサ装置２０Ｇの解析部２３は緊急性に関する信号を生成する。
センサ装置２０Ｇの解析部２３は、緊急性に関する信号及び使用者１０Ｇを特定する情報を、センサ装置２０Ｇの通信部２４に送信する。
【００８１】
使用者１０Ｇの通信部２４は、解析部２３から緊急性に関する信号を受信すると、通信装置３０に対する送信範囲の内外を問わず、直ちに緊急性に関する信号及び使用者１０Ｇを特定する情報を周囲に対して発信する。
【００８２】
図５における通信装置３０は、センサ装置２０Ｇの通信部２４の送信範囲外である。また、センサ装置２０Ｈの通信部２４も通信装置３０に対する送信範囲外である。
しかし、使用者１０Ｈの前後を走る別の使用者１０Ｉ，１０Ｊの通信部２４は、通信装置３０に対して送信可能範囲の位置である。
【００８３】
センサ装置２０Ｇの通信部２４が発信した情報は、直接は通信装置３０には受信されないが、使用者１０Ｈのセンサ装置２０Ｈの通信部２４に受信される。センサ装置２０Ｈの通信部２４が発信した情報は、直接は通信装置３０には受信されないが、センサ装置２０Ｉの通信部２４及びセンサ装置２０Ｊの通信部２４に受信される。
使用者１０Ｉのセンサ装置２０Ｉの通信部２４及び使用者１０Ｊのセンサ装置２０Ｊの通信部２４は、それぞれ、通信装置３０に対して、使用者１０Ｇを特定する情報及び使用者１０Ｇの緊急性に関する信号を送信する。
【００８４】
通信装置３０は、使用者１０Ｇを特定する情報及び使用者１０Ｇの緊急性に関する信号を、センサ装置２０Ｉの通信部２４及びセンサ装置２０Ｊの通信部２４から受信して集中管理装置４０（図１参照）に送信する。
集中管理装置４０は、受信した情報を、表示装置４１に表示又は救護者５１の携帯端末５２に送信することができ、救護者５１はＡＥＤ５３を持って使用者１０Ｇの救護に向かうことができる。
【００８５】
このように、本開示の見守り装置１によれば、通信装置３０に対して送信範囲外に位置するセンサ装置２０Ｇの通信部２４が緊急性に関する信号等を発信したときには、他の使用者１０Ｈ，１０Ｉ，１０Ｊの通信部２４を介して転送することにより、使用者１０Ｇの緊急性に関する信号が最寄りの通信装置３０に迅速に転送されて、使用者１０Ｇに対して適切な救急処置を行うことができる。
【００８６】
なお、使用者１０Ｇ〜１０Ｊは数珠つなぎ状に整列された一列の状態でもよく、離散的に走行しているランダムに位置した状態でもよい。
【００８７】
また、本開示のセンサ装置２０の通信部２４の転送機能は、動作例３で示した緊急性に関する信号の通信に限らない。センサ装置２０の通信部２４は、所定条件において、通信装置３０の送受信範囲の外にいる使用者１０の計測結果を取得するために、相互に通信を行うことができる。
【００８８】
ここで、所定条件は、見守り装置１で一律的な計測を行う時刻になった等の時間的な条件でもよく、見守り装置１の臨時の計測地点に到達した等の位置情報に関する条件でもよい。
時間的な条件は、一例として、見守り装置１をマラソン大会に使用する場合のマラソン大会の終了時刻とすることができ、見守り装置１を企業に適用する場合の午後の就業開始時刻とすることができる。
位置情報に関する条件は、一例として、見守り装置１をマラソン大会に使用する場合、通信装置３０が設置されていない位置に臨時設置された救護所５０の位置情報とすることができる。また、見守り装置１を企業に適用する場合、防災訓練当日のみ計測地点として追加される非常階段の踊り場の位置情報とすることができる。
【００８９】
このように、通信装置３０に対して送信範囲外に位置するセンサ装置２０の通信部２４は、所定条件において他の使用者１０の通信部２４と相互に通信を行なうので、通信装置３０に対して送信範囲外に位置する使用者１０の計測結果を、最寄りの通信装置３０に迅速に転送することができ、使用者１０に対して適切な救急処置を行うことができる。
【００９０】
＜動作例４  公共機関を利用した見守り装置で比較部２８を備えるセンサ装置２０を使用＞
多数の会社員が所属する企業に本実施形態のセンサ装置２０、２００及び見守り装置１を適用する例を、図１−図５を用いて説明する。
【００９１】
図１に示す使用者１０Ａ〜１０Ｆは、見守り装置１が導入された企業の社員であり、センサ装置２０Ａ〜２０Ｆを装着している。
ＡＥＤ５３は、救護所５０や鉄道駅のホーム等の各種公共交通機関等に複数設置されている。
集中管理装置４０は、見守り装置１を管理し運営する医療機関や見守り装置１を導入した企業の医務室等に設置されて、無線通信等を介して通信装置３０から各種の情報を受信できるように構成されている。
【００９２】
使用者１０のセンサ装置２０は、計測地域の全域で計測及び計測結果の解析を行うように構成されている。計測地域の全域は、例えば、使用者１０の自宅、通勤電車の路線を含む通勤経路、本社及び支店等の勤務場所、外出先等の全域とすることができる。
【００９３】
センサ装置２０Ａ~２０Ｆは、図２に示す計測部２１、心電図センサ２６（第一計測部の一例）及び温度センサ２７（第二計測部の一例）の少なくとも一つと、比較部２８を備えるセンサ装置２０、図４に示す予知予測部６０を備えるセンサ装置２００とすることができる。すなわち、センサ装置２０Ａ〜２０Ｆは、使用者１０が第一条件又は第二条件の少なくともいずれか一方に合致することを判定する解析部２３を備えるセンサ装置２０とすることができる。また、センサ装置２０Ａ〜２０Ｆは、使用者１０が第三条件に合致するか否かを判定する解析部１２３を備えるセンサ装置２００とすることができる。
また、見守り装置１は、計測結果が緊急性に関する解析パターン情報と一致する場合に、緊急性に関する信号を生成して通信部２４に送信する解析部２３を備えるセンサ装置２０Ａ〜２０Ｆを備えることができる。また、見守り装置１は、相互に通信を行う通信部２４を備えるセンサ装置２０Ａ〜２０Ｆを備える構成とすることができる。また、見守り装置１は、緊急性に関する信号の送信を、メッシュネットワーク方式で、他の使用者１０のセンサ装置２０の通信部２４に送信する通信部２４を備えるセンサ装置２０Ａ〜２０Ｆを備える構成とすることができる。
これらの具体的な動作については動作例１〜３と同様であるので、動作例１に相当する動作を以下に説明し、動作例２〜３に相当する動作の説明を省略する。
【００９４】
図１に示す使用者１０Ａが、通勤電車の中で、緊急性は無いが不整脈を発生した場合を説明する。
使用者１０Ａの不整脈は、センサ装置２０Ａにより計測及び解析される。すなわち、心電図センサ２６（第一計測部の一例）は、使用者１０Ａの心電図（第一生体情報の一例）を計測し、使用者１０Ａの心電図を計測した地点の位置情報及び心電図の計測時間等の計測に関する情報を計測して、計測結果と計測に関する情報とを関連付けた計測結果信号を生成する。解析部２３は、心電図センサ２６が計測した心電図の波形と第一条件の解析パターン情報である不整脈の心電図の一症例とを比較して一致すると判定し、計測結果が第一条件に合致すると判定する。解析部２３は、第一条件に合致するとの判定結果を通信部２４に送信する。
【００９５】
通信部２４は、第一条件に合致するとの判定結果（不整脈発生、緊急性無し）を解析部２３から受信し、使用者１０Ａを特定する情報を記憶部２２から受信し、計測結果信号を心電図センサ２６から受信して、通信装置３０の通信可能範囲に入るまで保持する。
【００９６】
使用者１０Ａが通信装置３０を設置している降車駅に到着すると、通信部２４が第一条件に合致するとの判定結果と計測結果信号を関連付けて、使用者１０Ａを特定する情報とともに、通信装置３０に送信する。
通信装置３０は、受信した情報を集中管理装置４０に送信する。
集中管理装置４０は、表示装置４１に、使用者１０Ａが第一条件に合致するとの判定結果を表示する。表示装置４１に表示された判定結果を確認した救護者５１や医師等は、使用者１０に対してＡＥＤ５３を持って救護に向かう等の適切な処置を採ることができる。
このように、各種公共機関や企業等の様々な地点・地域においても、本開示のセンサ装置及び見守り装置により、多数の使用者の健康状態を適切に見守ることができる。
【００９７】
本開示は、上述した実施形態や変形例に限定されず、適宜、変形、改良等が自在である。その他、上述した実施形態における各構成要素の材質、形状、寸法、数値、形態、数、配置場所等は、本開示を達成できるものであれば任意であり、限定されない。
【符号の説明】
【００９８】
１    見守り装置、  １０  使用者、  ２０、２００  センサ装置、  ２１  計測部、  ２２  記憶部、  ２３、１２３  解析部、  ２４  通信部、  ２５  電源部、  ２６  心電図センサ、  ２７  温度センサ、  ２８  比較部、  ３０  通信装置、  ４０  集中管理装置、  ４１  表示装置、  ５０  救護所、  ５１  救護者、  ５２  携帯端末、  ５３  ＡＥＤ（自動体外式除細動器、Automated External Defibrillator）、  ６０  予知予測部
【図１】
2018130358.tif 000003
【図２】
2018130358.tif 000004
【図３】
2018130358.tif 000005
【図４】
2018130358.tif 000006
【図５】
2018130358.tif 000007